Podtech/llm-jp-corpus-v4-ja_patent huggingface dataset:
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
第１基板、前記第１基板の第１面に設けられた第１圧電素子、および前記第１圧電素子と電気的に接続された第１配線層を有する第１圧電振動体と、
第２基板、前記第２基板の第１面に設けられた第２圧電素子、および前記第２圧電素子と電気的に接続された第２配線層を有する第２圧電振動体と、
外部配線と前記第１配線層および前記第２配線層とを電気的に接続する端子と、
を含み、
前記第１圧電振動体と前記第２圧電振動体とは、前記第１基板の第１面と前記第２基板の第１面とが対向するように接合され、
前記端子は、前記第１配線層の側面および前記第２配線層の側面に接続され、かつ、前記第１基板の平面視で、前記第１基板および前記第２基板とは重ならない部分を有する、圧電駆動装置。
【請求項２】
請求項１において、
前記端子は、無電解めっき層である、圧電駆動装置。
【請求項３】
請求項１または２において、
前記第１基板と前記第１配線層との間に設けられた第１絶縁部と、
前記第２基板と前記第２配線層との間に設けられた第２絶縁部と、
を含み、
前記端子は、前記第１絶縁部の側面および前記第２絶縁部の側面に接続されている、圧電駆動装置。
【請求項４】
請求項１ないし３のいずれか１項において、
前記端子は、前記第１基板および前記第２基板と離間して設けられている、圧電駆動装置。
【請求項５】
第１基板、前記第１基板の第１面に設けられた第１圧電素子、前記第１圧電素子と電気的に接続された第１配線層を有する第１圧電振動体を形成する工程と、
第２基板、前記第２基板の第１面に設けられた第２圧電素子、前記第２圧電素子と電気
的に接続された第２配線層を有する第２圧電振動体を形成する工程と、
前記第１基板の第１面と前記第２基板の第１面とが対向するように、前記第１圧電振動体と前記第２圧電振動体とを接合する工程と、
前記第１配線層の側面および前記第２配線層の側面に接続され、かつ、前記第１基板の平面視で、前記第１基板および前記第２基板から突出するように端子を形成する工程と、を含む、圧電駆動装置の製造方法。
【請求項６】
請求項５において、
前記端子を形成する工程では、
前記端子を無電解めっき法によって形成する、圧電駆動装置の製造方法。
【請求項７】
請求項５または６において、
前記第１圧電振動体を形成する工程では、
第１絶縁部を有するように前記第１圧電振動体を形成し、
前記第２圧電振動体を形成する工程では、
第２絶縁部を有するように前記第２圧電振動体を形成し、
前記端子を形成する工程では、
前記第１絶縁部の側面および前記第２絶縁部の側面と接続するように、前記端子を形成する、圧電駆動装置の製造方法。
【請求項８】
請求項５ないし７のいずれか１項において、
前記端子を形成する工程では、
前記第１基板および前記第２基板と離間するように、前記端子を形成する、圧電駆動装置の製造方法。
【請求項９】
請求項１ないし４のいずれか１項に記載の圧電駆動装置と、
前記圧電駆動装置によって回転されるローターと、
を含む、モーター。
【請求項１０】
複数のリンク部と、
複数の前記リンク部を接続する関節部と、
複数の前記リンク部を前記関節部で回動させる請求項１ないし４のいずれか１項に記載の圧電駆動装置と、
を含む、ロボット。
【請求項１１】
請求項１ないし４のいずれか１項に記載の圧電駆動装置と、
液体を輸送するチューブと、
前記圧電駆動装置の駆動によって前記チューブを閉塞する複数のフィンガーと、
を含む、ポンプ。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
基板と、
前記基板上に設けられた第１電極、前記第１電極上に設けられた圧電体層、および前記第１圧電体層上に設けられた第２電極を有する圧電素子と、
前記第２電極よりも上に設けられた部分を有し、前記第１電極と電気的に接続している銅を含む層と、
ニッケルおよびリンを含み、前記銅を含む層と接続していて、前記基板の平面視で、前記圧電体層とは重ならない部分を有する導電層と、
を含む、圧電駆動装置。
【請求項２】
請求項１において、
前記導電層は、
ニッケルおよびリンを含む層と、
前記ニッケルおよびリンを含む層を覆うように設けられた金層と、
を有する、圧電駆動装置。
【請求項３】
請求項２において、
前記導電層は、
前記ニッケルおよびリンを含む層と、前記金層と、の間に設けられたパラジウム層を有する、圧電駆動装置。
【請求項４】
請求項１ないし３のいずれか１項において、
前記導電層は、無電解めっき層である、圧電駆動装置。
【請求項５】
請求項１ないし４のいずれか１項において、
前記基板は、第１面と、前記第１面とは反対側の第２面と、を有し、
前記第１面には、前記圧電素子が設けられ、
前記第２面には、金属層が設けられ、
前記金属層は、前記導電層に接続されている、圧電駆動装置。
【請求項６】
請求項５において、
第１圧電振動体と、前記第１圧電振動体に接合された第２圧電振動体と、を含み、
前記第１圧電振動体および前記第２圧電振動体は、
前記基板と、前記圧電素子と、前記銅を含む層と、を含み、
前記第１圧電振動体の前記銅を含む層と、前記第２圧電振動体の前記銅を含む層とは、接合されている、圧電駆動装置。
【請求項７】
請求項６において、
前記第１圧電振動体および前記第２圧電振動体は、接合体を構成し、
前記接合体は、前記金属層を含み、
前記接合体は、前記基板の厚さ方向に複数積層され、
隣り合う前記接合体において、一方の前記接合体の前記金属層と、他方の前記接合体の前記金属層とは、接合されている、圧電駆動装置。
【請求項８】
基板上に第１電極を形成する工程と、
前記第１電極上に圧電体層を形成する工程と、
前記圧電体層上に第２電極を形成する工程と、
前記第２電極よりも上に設けられた部分を有し、前記第１電極と電気的に接続される銅を含む層を形成する工程と、
前記銅に接続していて、前記基板の平面視で、前記圧電体層とは重ならない部分を有する無電解めっき層を形成する工程と、
を含む、圧電駆動装置の製造方法。
【請求項９】
請求項１ないし７のいずれか１項に記載の圧電駆動装置と、
前記圧電駆動装置によって回転されるローターと、
を含む、モーター。
【請求項１０】
複数のリンク部と、
複数の前記リンク部を接続する関節部と、
複数の前記リンク部を前記関節部で回動させる請求項１ないし７のいずれか１項に記載の圧電駆動装置と、
を含む、ロボット。
【請求項１１】
請求項１ないし７のいずれか１項に記載の圧電駆動装置と、
液体を輸送するチューブと、
前記圧電駆動装置の駆動によって前記チューブを閉塞する複数のフィンガーと、
を含む、ポンプ。
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
リアクトルと、
互いに平行に配置されている複数の半導体モジュールと、
複数の第１バスバであって夫々が各前記半導体モジュールの端子に接続されている複数の第１バスバと、
前記リアクトルに接続されている第２バスバと、
複数の電流センサ素子であって夫々が複数の前記第１バスバと前記第２バスバの各バスバに対向しているとともに対向しているバスバの電流を計測する複数の電流センサ素子と、
前記第２バスバの温度を計測する温度センサ素子と、
センサ基板と、
を備えており、
複数の前記第１バスバ及び前記第２バスバは並んでおり、
前記センサ基板は、複数の前記第１バスバ及び前記第２バスバに隣接して配置されているとともに、複数の前記電流センサ素子と前記温度センサ素子が取り付けられている、
電力変換装置。
【請求項２】
複数の前記電流センサ素子が二列に並んでおり、
複数の前記電流センサ素子のうち、複数の前記第１バスバと前記第２バスバの並びにおいて端から偶数番目のバスバの電流を計測する電流センサ素子が一方の列に属しており、残りの電流センサ素子が他方の列に属しており、
前記温度センサ素子が、前記第２バスバの電流を計測する電流センサ素子が属していない列に並んでいる、請求項１に記載の電力変換装置。
【請求項３】
複数の前記電流センサ素子と前記温度センサ素子に共通のグランド線が、複数の前記信号線とともに、前記センサ基板から前記回路基板へ延びている、請求項１又は２の電力変換装置。
【請求項４】
複数の前記電流センサ素子と前記温度センサ素子の計測データを伝送する複数の信号線が、前記センサ基板から回路基板へ延びている、請求項１から３のいずれか１項に記載の電力変換装置。
【請求項５】
複数の前記電流センサ素子が、複数の前記第１バスバと前記第２バスバの並び方向に沿って二列に並んでいる、請求項１から４のいずれか１項に記載の電力変換装置。
【手続補正２】
【補正対象書類名】明細書
【補正対象項目名】０００４
【補正方法】変更
【補正の内容】
【０００４】
従来はリアクトルの温度を計測する温度センサ素子と、半導体モジュールを流れる電流を計測する電流センサ素子は、電力変換装置の筐体内で別々に配置されていた。その上、温度センサ素子の取得データを伝送する信号線（温度センサ信号線）と、電流センサ素子の取得データを伝送する信号線（電流センサ信号線）も、筐体内で別々に配策されていた。本明細書が開示する技術は、リアクトルの温度を計測する温度センサ素子と複数の半導体モジュールの夫々の電流を計測する電流センサ素子を集約してセンサ素子群のレイアウトを簡素化する技術を提供する。加えて、温度センサ素子の信号線と電流センサ素子の信号線の配策を簡素化する技術を提供する。
【手続補正３】
【補正対象書類名】明細書
【補正対象項目名】０００５
【補正方法】変更
【補正の内容】
【０００５】
本明細書が開示する電力変換装置は、リアクトルと、互いに平行に配置されている複数の半導体モジュールと、複数の第１バスバと、第２バスバと、複数の電流センサ素子と、温度センサ素子と、センサ基板を備えている。複数の第１バスバの夫々は、各半導体モジュールの端子に接続されている。また、第２バスバはリアクトルに接続されている。複数の第１バスバと第２バスバは並んでいる。センサ基板は、平行に延びている複数の第１バスバ及び第２バスバに隣り合うように配置されている。そのセンサ基板に、温度センサ素子と複数の電流センサ素子が取り付けられている。複数の電流センサ素子の夫々は、複数の第１バスバと第２バスバの各バスバに対向しており、対向するバスバの電流を計測する。温度センサは、第２バスバの温度を計測する。
【手続補正４】
【補正対象書類名】明細書
【補正対象項目名】０００６
【補正方法】変更
【補正の内容】
【０００６】
上記の電力変換装置は、リアクトルに接続されている第２バスバの温度を計測する温度センサ素子を備える。導電体であるバスバは、熱をよく伝える。それゆえ、リアクトルに接続されている第２バスバの温度はリアクトルの温度の近似値として利用することができる。上記の電力変換装置では、その温度センサ素子を、複数の電流センサ素子を取り付けた一枚のセンサ基板に取り込み、温度センサ素子と複数の電流センサ素子を集約する。上記の構造によって、電力変換装置の筐体内のセンサ素子群のレイアウトが簡素化される。
【手続補正５】
【補正対象書類名】明細書
【補正対象項目名】０００７
【補正方法】変更
【補正の内容】
【０００７】
本明細書が開示する電力変換装置では、複数の電流センサ素子と温度センサ素子の計測データを伝送する複数の信号線が、センサ基板から回路基板へ延びているとよい。そのような電力変換装置では、温度センサ素子の計測データを伝送する信号線と複数の電流センサ素子の計測データを伝送する信号線を別々に配策する必要がない。上記の構造によって、電力変換装置の筐体内のセンサ素子群のレイアウトが簡素化されるとともに、信号線の配策が簡素化される。本明細書が開示する技術の詳細とさらなる改良は以下の「発明を実施するための形態」にて説明する。
【手続補正書】
【提出日】平成30年1月30日(2018.1.30)
【手続補正１】
【補正対象書類名】明細書
【補正対象項目名】００１１
【補正方法】変更
【補正の内容】
【００１１】
また、上記回路構成体において、前記絶縁伝熱部材は、前記バスバーに接触された状態において、前記伝熱用開口部の縁部に位置する周囲部を有するようにしてもよい。
本構成によれば、絶縁伝熱部材に応力が作用する際、伝熱用開口部の縁部に位置する、絶縁伝熱部材の周囲部の移動は制限され、絶縁伝熱部材の移動は、空白領域を形成する絶縁伝熱部材の周囲部によって主に行わせることができる。それによって、応力による絶縁伝熱部材の無秩序な移動が抑制され、電子部品からの熱の放熱部材への伝熱が軽減されることを抑制できる。
【手続補正２】
【補正対象書類名】明細書
【補正対象項目名】００２２
【補正方法】変更
【補正の内容】
【００２２】
複数のバスバー５０は、図２に示されるように、回路基板２０の裏面２０Ｂ側に設けられている。複数のバスバー５０は、グランド電位とされるグランドバスバー、電源電位とされる電源バスバー等を含む。複数のバスバー５０は、例えば、金属板材を所定形状にプレス加工してなる。バスバー５０は概ね矩形状をなしており、隣り合うバスバー５０との間に隙間ＳＬを介して所定のパターンで配置されている。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
２つの基板と、
前記２つの基板の間に配置されている圧電素子と、
前記圧電素子の一部を覆っている被覆部と、
を備える、圧電アクチュエーター。
【請求項２】
平面視で一部が重なって配置されている２つの基板と、
前記平面視で前記２つの基板が重なっている領域において、前記２つの基板が互いに向かい合う側の面上にそれぞれ配置されている圧電素子と、
前記２つの圧電素子のそれぞれ一部を覆っている被覆部と、
を備える、圧電アクチュエーター。
【請求項３】
前記２つの被覆部の間に接着層が配置されている、請求項２に記載の圧電アクチュエーター。
【請求項４】
前記基板は、振動部と、前記振動部を支持する支持部と、を有し、
前記２つの圧電素子は、前記振動部に設けられている、請求項２または３に記載の圧電アクチュエーター。
【請求項５】
前記被覆部は、前記圧電素子の全体を覆っている、請求項４に記載の圧電アクチュエーター。
【請求項６】
前記被覆部は、前記支持部の周囲の一部を覆っている、請求項４または５に記載の圧電アクチュエーター。
【請求項７】
前記振動部の先端に、突出している領域を有する、請求項４乃至６のいずれか一項に記載の圧電アクチュエーター。
【請求項８】
前記振動部と前記支持部とを繋いで配置されている配線層と、
前記配線層と電気的に接続され、前記支持部に接続されている回路基板と、
を備える、請求項４乃至７のいずれか一項に記載の圧電アクチュエーター。
【請求項９】
請求項１乃至８のいずれか一項に記載の圧電アクチュエーターが複数積層されている積層アクチュエーター。
【請求項１０】
請求項１乃至８のいずれか一項に記載の圧電アクチュエーター、または、請求項９に記載の積層アクチュエーターを備える圧電モーター。
【請求項１１】
請求項１０に記載の圧電モーターを備えるロボット。
【請求項１２】
請求項１０に記載の圧電モーターを備えるハンド。
【請求項１３】
請求項１０に記載の圧電モーターを備える送液ポンプ。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
移動用キャスターを備えた機器本体と、操作者による指示操作を受ける操作パネルを備え該機器本体よりも上方に配置されて操作に応じて電動で昇降するユーザインターフェースとを具備する可搬形医療機器であって、
前記ユーザインターフェースの昇降用の電力の供給を分担する第１の電源部と、
当該可搬形医療機器の、前記第１の電源部の電力供給分担分を除く、あるいは該第１の電源部の電力供給分担分を含む、各部分への電力の供給を担う第２の電源部と、
前記第２の電源部による電力の供給を開始させる電源オンと、前記第１の電源部による電力の供給を妨げることなく前記第２の電源部による電力の供給を遮断する電源オフとの切替えを指示する第１の操作子と、
前記第１の操作子による電源オフの指示の前後のうちの少なくとも電源オフの指示後において、前記ユーザインターフェースの昇降のうちの少なくとも下降を指示する第２の操作子とを有することを特徴とする可搬形医療機器。
【請求項２】
前記ユーザインターフェースがさらに、画像を表示する画像モニタ、および、当該可搬形医療機器の収納時の姿勢である収納姿勢と、少なくとも１つの、当該可搬形医療機器の稼働時の姿勢である稼働姿勢との間での該画像モニタの姿勢の変更を自在とし、少なくとも前記収納姿勢に向けた動作が電動で行なわれる継ぎ手を備え、
前記第１の電源部が、前記ユーザインターフェースの昇降用の電力に加え、前記継ぎ手による前記画像モニタの姿勢変更用の電力の供給を分担するものであって、
当該可搬形医療機器がさらに、前記第２の操作子と兼用し、あるいは該第２の操作子とは別途に備えられた、前記第１の操作子による電源オフの指示の前後のうちの少なくとも電源オフの指示後において、前記画像モニタの姿勢変更のうちの少なくとも前記収納姿勢への姿勢変更を指示する第３の操作子を有することを特徴とする請求項１に記載の可搬形医療機器。
【請求項３】
外部から電力の供給を受けて充電され前記第１の電源部と前記第２の電源部とのうちの少なくとも前記第１の電源部に電力を供給するバッテリを有することを特徴とする請求項１または２に記載の可搬形医療機器。
【請求項４】
前記第１の操作子による電源オフの指示を受けて計時を開始し、タイムアップにより前記第１の電源部による電力の供給を遮断するタイマを有することを特徴とする請求項１から３のいずれか１項に記載の可搬形医療機器。
【請求項５】
当該可搬形医療機器が、人体内に超音波を送波し反射超音波を受波して前記反射超音波による画像を表示する可搬形の超音波診断装置であることを特徴とする請求項１から４のいずれか１項に記載の可搬形医療機器。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
カテーテル本体と、該カテーテル本体の遠位部に設けられ該カテーテル本体を通じて流体が注入されることにより拡径するバルーンとを有するバルーンカテーテルであって、
前記バルーンは、前記カテーテル本体を周回しながら該カテーテル本体の長手方向に延びる、周回方向両側の部分と比較して相対的に性状が異なる螺旋形の筋を有することを特徴とするバルーンカテーテル。
【請求項２】
前記筋が、前記バルーンの前記周回方向に等間隔に離れた複数箇所に形成されていることを特徴とする請求項１記載のバルーンカテーテル。
【請求項３】
前記筋は、前記バルーンを形づくる第１の材料からなる膜に、該第１の材料とは剛性が異なる第２の材料からなる螺旋形の筋が、該膜の両面のうちの一方または双方の面への露出を許容して、埋め込まれることにより形成された筋であることを特徴とする請求項１または２に記載のバルーンカテーテル。
【請求項４】
前記筋が、該筋の前記周回方向両側の部分と比較して相対的に剛性が高い筋であることを特徴とする請求項２または３に記載のバルーンカテーテル。
【請求項５】
カテーテル本体の遠位部に設けられ該カテーテル本体を通じて流体が注入されることにより拡径するバルーンであって、
前記カテーテル本体を周回しながら該カテーテル本体の長手方向に延びる、周回方向両側の部分と比較して相対的に性状が異なる螺旋形の筋を有することを特徴とするバルーン。
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
傾斜磁場を発生する傾斜磁場コイルと、
前記傾斜磁場コイルに電力を供給する電力供給回路と、
前記電力に基づいて、前記電力の上限値を、第１の値から前記第１の値よりも高い第２の値に一時的に変更する制御を実行する制御回路と、
を具備する磁気共鳴イメージング装置。
【請求項２】
前記制御回路は、前記電力の前記上限値が前記第２の値に設定された期間に供給された電力に応じて、前記第２の値に設定された前記上限値を、前記第１の値に変更する、
請求項１に記載の磁気共鳴イメージング装置。
【請求項３】
前記制御回路は、前記電力供給回路によって供給される電力と、前記傾斜磁場コイルに含まれる複数の軸コイルのうち少なくとも１つに供給される電力とを監視する、
請求項１または２に記載の磁気共鳴イメージング装置。
【請求項４】
前記制御回路は、前記上限値が前記第２の値に設定されている期間における電力供給の参照値を計算し、
前記参照値は、前記上限値が前記第２の値に設定されている時の経過時間と、前記経過時間に亘る前記電力の積算値と、前記電力の上限値が前記第２の値に設定されている期間に亘る前記電力の平均値とのうち少なくとも一つである、
請求項１乃至３のうちいずれか一項に記載の磁気共鳴イメージング装置。
【請求項５】
前記制御回路は、前記参照値が所定の閾値に到達したとき前記上限値を前記第２の値から前記第１の値に変更し、前記第２の値に変更しないように前記上限値を制御する、
請求項４に記載の磁気共鳴イメージング装置。
【請求項６】
前記制御回路は、前記電力の前記平均値が前記第１の値を下回るとき、前記上限値を前記第２の値に制限することを解除する、
請求項５に記載の磁気共鳴イメージング装置。
【請求項７】
撮像条件に基づいて、前記電力と前記上限値を変更可能な時刻と前記経過時間とのうち少なくとも一つを、撮像開始前に予測する処理回路を更に具備する請求項４乃至６のうちいずれか一項に記載の磁気共鳴イメージング装置。
【請求項８】
前記処理回路は、前記予測に基づいて、警告をディスプレイに表示させる処理を実行する請求項７に記載の磁気共鳴イメージング装置。
【請求項９】
前記処理回路は、前記予測に基づいて、前記撮像条件に係る撮像シーケンスを最適化する処理を実行する請求項７または８に記載の磁気共鳴イメージング装置。
【請求項１０】
傾斜磁場を発生する複数の傾斜磁場コイル各々に電力を供給する電力供給回路と、
前記電力に基づいて、前記電力の上限値を、第１の値から前記第１の値よりも高い第２の値に一時的に変更する制御を実行する制御回路と、
を具備する傾斜磁場電源装置。
【手続補正２】
【補正対象書類名】明細書
【補正対象項目名】０００６
【補正方法】変更
【補正の内容】
【０００６】
実施形態に係る磁気共鳴イメージング装置は、傾斜磁場を発生する傾斜磁場コイルと、前記傾斜磁場コイルに電力を供給する電力供給回路と、前記電力に基づいて、前記電力の上限値を、第１の値から前記第１の値よりも高い第２の値に一時的に変更する制御を実行する制御回路と、を具備する。
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
ボアが形成された架台と、
前記ボアの中心軸に沿って移動可能に配置され、映写機からの出力映像が投影されるスクリーンと前記スクリーンに投影された前記出力映像を反射する反射板とを有する移動体と、
前記映写機に対する前記移動体の位置に関連する位置情報を取得する取得部と、
前記位置情報に応じて、前記出力映像に含まれるコンテンツ領域を変化させる処理部と、
を具備する医用画像診断システム。
【請求項２】
前記処理部は、前記位置情報に応じて前記コンテンツ領域のサイズまたは形状のうち少なくとも一方を変化させる、請求項１記載の医用画像診断システム。
【請求項３】
前記処理部は、前記スクリーンに投影される前記コンテンツ領域に対応する投影領域のサイズ又は形状が、前記映写機と前記移動体との間の距離に依らず一定になるように前記位置情報に応じて前記コンテンツ領域のサイズ又は形状を変化させる、請求項２記載の医用画像診断システム。
【請求項４】
前記処理部は、前記移動体が初期位置に配置されているときの前記スクリーンに投影された前記出力映像のサイズ又は形状が、前記映写機と前記移動体との間の距離に依らず一定になるように前記位置情報に応じて前記コンテンツ領域のサイズ又は形状を変化する、請求項３記載の医用画像診断システム。
【請求項５】
前記処理部は、前記映写機への入力映像に対する前記コンテンツ領域のサイズを拡大又は縮小する、請求項３記載の医用画像診断システム。
【請求項６】
前記処理部は、前記映写機への入力映像に設定されたトリミング領域のサイズを拡大又は縮小する、請求項３記載の医用画像診断システム。
【請求項７】
前記取得部は、寝台に搭載された駆動系に取り付けられたエンコーダから前記位置情報を取得する、請求項１記載の医用画像診断システム。
【請求項８】
前記取得部は、前記架台、寝台、前記移動体又は前記映写機に設けられた機械式センサ又は光学式センサから前記位置情報を取得する、請求項１記載の医用画像診断システム。
【請求項９】
映写機に接続された医用画像診断装置であって、
ボアが形成された架台と、
前記ボアの中心軸に沿って移動可能に配置され、映写機からの出力映像が投影されるスクリーンと前記スクリーンに投影された前記出力映像を反射する反射板とを有する移動体と、
前記映写機に対する前記移動体の位置に関連する位置情報を取得する取得部と、
前記位置情報に応じて、前記出力映像に含まれるコンテンツ領域を変化させる処理部と、
を具備する医用画像診断装置。
【請求項１０】
スクリーンと前記スクリーンに投影された出力映像を反射する反射板とを有する移動体に映像を投影する映写機に接続されたコンピュータに、
前記映写機に対する前記移動体の位置に関連する位置情報に応じて、前記映像に含まれるコンテンツ領域を変化させる機能、
を実現させる映像投影プログラム。
【手続補正２】
【補正対象書類名】明細書
【補正対象項目名】発明の名称
【補正方法】変更
【補正の内容】
【発明の名称】医用画像診断システム、医用画像診断装置及び映像投影プログラム
【手続補正３】
【補正対象書類名】明細書
【補正対象項目名】０００１
【補正方法】変更
【補正の内容】
【０００１】
本発明の実施形態は、医用画像診断システム、医用画像診断装置及び映像投影プログラムに関する。
【手続補正４】
【補正対象書類名】明細書
【補正対象項目名】０００４
【補正方法】変更
【補正の内容】
【０００４】
実施形態の目的は、架台のボア内の居住性を向上可能な医用画像診断システム、医用画像診断装置及び映像投影プログラムを提供することにある。
【手続補正５】
【補正対象書類名】明細書
【補正対象項目名】０００５
【補正方法】変更
【補正の内容】
【０００５】
本実施形態に係る医用画像診断システムは、ボアが形成された架台と、前記ボアの中心軸に沿って移動可能に配置され、映写機からの出力映像が投影されるスクリーンと前記スクリーンに投影された前記出力映像を反射する反射板とを有する移動体と、前記映写機に対する前記移動体の位置に関連する位置情報を取得する取得部と、前記位置情報に応じて、前記出力映像に含まれるコンテンツ領域を変化させる処理部と、を具備する。
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
大入賞口が開放される複数回のラウンド遊技で構成される大役遊技が実行され、該ラウンド遊技のうち予め設定された特定ラウンド遊技中に、該大入賞口に入球した遊技球が特定領域に進入すると、所定の遊技利益が付与される遊技機であって、
大役開始条件の成立により前記大役遊技を実行する大役遊技実行手段と、
前記大役遊技中の大役演出を実行制御する大役演出制御手段と、
を備え、
前記大役遊技には、前記特定ラウンド遊技である第１特定ラウンド遊技と、前記第１特定ラウンド遊技後に実行される第２特定ラウンド遊技とを含む特定大役遊技が含まれ、
前記大役演出制御手段は、
前記特定大役遊技が実行される場合、前記大役演出の実行パターンを、最初のラウンド遊技の開始前の所定の決定時期に決定し、
前記第１特定ラウンド遊技中に前記特定領域に遊技球が進入した場合には、前記決定時期に決定した実行パターンで前記大役演出を実行し、
前記第１特定ラウンド遊技中に前記特定領域に遊技球が進入しなかった場合には、該第１特定ラウンド遊技後の前記大役演出の少なくとも一部を、前記決定時期に決定した実行パターンと異なる他の実行パターンで実行し、
前記第１特定ラウンド遊技後の前記大役演出の少なくとも一部を前記他の実行パターンで実行した後、前記第２特定ラウンド遊技中に前記特定領域に遊技球が進入した場合には、該第２特定ラウンド遊技後の前記大役演出の少なくとも一部を、前記他の実行パターンと異なる実行パターンで実行することを特徴とする遊技機。
【手続補正２】
【補正対象書類名】明細書
【補正対象項目名】０００７
【補正方法】変更
【補正の内容】
【０００７】
上記課題を解決するために、本発明の遊技機は、大入賞口が開放される複数回のラウンド遊技で構成される大役遊技が実行され、該ラウンド遊技のうち予め設定された特定ラウンド遊技中に、該大入賞口に入球した遊技球が特定領域に進入すると、所定の遊技利益が付与される遊技機であって、大役開始条件の成立により前記大役遊技を実行する大役遊技実行手段と、前記大役遊技中の大役演出を実行制御する大役演出制御手段と、を備え、前記大役遊技には、前記特定ラウンド遊技である第１特定ラウンド遊技と、前記第１特定ラウンド遊技後に実行される第２特定ラウンド遊技とを含む特定大役遊技が含まれ、前記大役演出制御手段は、前記特定大役遊技が実行される場合、前記大役演出の実行パターンを、最初のラウンド遊技の開始前の所定の決定時期に決定し、前記第１特定ラウンド遊技中に前記特定領域に遊技球が進入した場合には、前記決定時期に決定した実行パターンで前記大役演出を実行し、前記第１特定ラウンド遊技中に前記特定領域に遊技球が進入しなかった場合には、該第１特定ラウンド遊技後の前記大役演出の少なくとも一部を、前記決定時期に決定した実行パターンと異なる他の実行パターンで実行し、前記第１特定ラウンド遊技後の前記大役演出の少なくとも一部を前記他の実行パターンで実行した後、前記第２特定ラウンド遊技中に前記特定領域に遊技球が進入した場合には、該第２特定ラウンド遊技後の前記大役演出の少なくとも一部を、前記他の実行パターンと異なる実行パターンで実行することを特徴とする。
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
ラクトコッカス・ラクティスＴ２１（ＮＩＴＥ  ＢＰ−０２１６４）株。
【請求項２】
請求項１に記載の菌株を含む飲食品。
【請求項３】
請求項１に記載の菌株を含む錠剤。
【手続補正２】
【補正対象書類名】明細書
【補正対象項目名】０００８
【補正方法】変更
【補正の内容】
【０００８】
すなわち、本願第一の発明は、クランベリー由来の免疫調節作用を有するラクトコッカス属菌であり、より詳細には、ラクトコッカス・ラクティスT21株（NITE BP-02164）である。
【手続補正３】
【補正対象書類名】明細書
【補正対象項目名】０００９
【補正方法】変更
【補正の内容】
【０００９】
さらに、本願出願人は、当該乳酸菌を含む飲食品も意図している。すなわち、本願第二の発明は、ラクトコッカス・ラクティスT21株（NITE BP-02164）を含有する飲食品である。
【手続補正４】
【補正対象書類名】明細書
【補正対象項目名】００１２
【補正方法】変更
【補正の内容】
【００１２】
以下、本発明を詳細に説明する。
１．ラクトコッカス・ラクティスT21株（NITE BP-02164）
本発明の乳酸菌は、ラクトコッカス・ラクティス（lactococcus lactis）である。特にラクトコッカス・ラクティスに属する乳酸菌のうち、ラクトコッカス・ラクティスT21株である。本発明にいうT21の記号は日清食品ホールディングス株式会社で独自に菌株に付与した番号である。本ラクトコッカス・ラクティスT21株はクランベリーより本発明者の一人によって初めて分離されたものである。
【手続補正５】
【補正対象書類名】明細書
【補正対象項目名】００１３
【補正方法】変更
【補正の内容】
【００１３】
本発明のラクトコッカス・ラクティスT21株は、下記の条件で寄託されている。
（１）寄託機関名：独立行政法人製品技術基盤機構  特許微生物寄託センター
（２）連絡先：〒２９２−０８１８  千葉県木更津市かずさ鎌足２−５−８  １２２号室
（３）受託番号：ＮＩＴＥ  ＢＰ−０２１６４
（４）識別のための表示：Ｔ２１
（５）原寄託日：２０１５年１１月２０日
（６）ブダペスト条約に基づく寄託への移管日：２０１６年１０月１２日
本発明のラクトコッカス・ラクティスT21株の菌学的性質は、以下の表１及び２に示す通りである。本菌学的性質は、Bergey’s manual of systematic bacteriology Vol.2(1986)に記載の方法による。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段により抽選された当りの種別に基づいて遊技者に付与される利益付与状態として、利益の期待値が低い低利益付与状態又は該低利益付与状態よりも前記利益の期待値が高い高利益付与状態に制御する利益付与制御手段と、
前記低利益付与状態に制御する当りに基づき前記高利益付与状態に制御する補助権利を獲得することが可能な補助権利獲得手段と、
前記低利益付与状態に制御する当りに基づき獲得される前記補助権利の値が所定の達成条件を満たす値となったことにより前記高利益付与状態に制御することが可能な補助権利累積時制御手段と、を備え、
前記補助権利の値は、遊技者が把握できないようにされ、
前記低利益付与状態に制御する当りとなって獲得された補助権利によって補助権利の値が所定の達成条件を満たす場合、該所定の達成条件を満たす低利益付与状態において、前記高利益付与状態に制御されることを遊技者が認識可能なかたちで当該低利益付与状態の遊技が行われ、
前記高利益付与状態への制御が前記低利益付与状態に制御された当りにおいて前記所定の達成条件を満たす値となったことにより前記補助権利累積時制御手段によって行われると、前記補助権利獲得手段によって獲得された前記補助権利の値が初期値となる
ことを特徴とする遊技機。
【手続補正２】
【補正対象書類名】明細書
【補正対象項目名】０００４
【補正方法】変更
【補正の内容】
【０００４】
上記した１種遊技を実行する遊技機や２種遊技を実行する遊技機ではいずれも大当りがいつ発生するかは予測ができないものであることから、遊技興趣を低下させ、遊技離れを招くおそれがあった。
【手続補正３】
【補正対象書類名】明細書
【補正対象項目名】０００５
【補正方法】変更
【補正の内容】
【０００５】
本発明は上記の実状に鑑み、遊技興趣の低下を抑制し、遊技離れを抑止可能な遊技機を提供することを目的とする。
【手続補正４】
【補正対象書類名】明細書
【補正対象項目名】０００６
【補正方法】変更
【補正の内容】
【０００６】
上記課題を解決するために請求項１に係る発明においては、所定条件の成立に基づいて抽選を行う抽選手段と、
該抽選手段により抽選された当りの種別に基づいて遊技者に付与される利益付与状態として、利益の期待値が低い低利益付与状態又は該低利益付与状態よりも前記利益の期待値が高い高利益付与状態に制御する利益付与制御手段と、
前記低利益付与状態に制御する当りに基づき前記高利益付与状態に制御する補助権利を獲得することが可能な補助権利獲得手段と、
前記低利益付与状態に制御する当りに基づき獲得される前記補助権利の値が所定の達成条件を満たす値となったことにより前記高利益付与状態に制御することが可能な補助権利累積時制御手段と、を備え、
前記補助権利の値は、遊技者が把握できないようにされ、
前記低利益付与状態に制御する当りとなって獲得された補助権利によって補助権利の値が所定の達成条件を満たす場合、該所定の達成条件を満たす低利益付与状態において、前記高利益付与状態に制御されることを遊技者が認識可能なかたちで当該低利益付与状態の遊技が行われ、
前記高利益付与状態への制御が前記低利益付与状態に制御された当りにおいて前記所定の達成条件を満たす値となったことにより前記補助権利累積時制御手段によって行われると、前記補助権利獲得手段によって獲得された前記補助権利の値が初期値となる
ことを特徴とする。
【手続補正５】
【補正対象書類名】明細書
【補正対象項目名】０００７
【補正方法】変更
【補正の内容】
【０００７】
このように、本発明によれば、遊技興趣の低下を抑止できる。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
生体テスト対象から取得されたデータから心拍出量を計算する方法であって、
非侵襲的バイオメトリックスセンサを用いて前記生体テスト対象から、１つまたはそれ以上のテスト対象血行力学的パラメータ値を取得することと、
前記バイオメトリックスセンサと信号通信しているデータ処理装置を介して、少なくとも、そのそれぞれが複数の心拍出量目標値の対応する一つに非線形最適化アルゴリズムを介して関連付けられた複数の基準対象入力ベクトルを備える数学モデルを用いて、前記１つまたはそれ以上のテスト対象血行力学的パラメータ値を処理することと、
前記処理の結果に少なくとも部分的に基づいて、前記生体テスト対象についてのテスト対象心拍出量値を判定することと、
を備える方法。
【請求項２】
前記生体テスト対象から、前記生体テスト対象の身長、体重、年齢、および性別の１つまたはそれ以上からなる１つまたはそれ以上のテスト対象生理学的パラメータ値を収集することをさらに備え、
前記処理することが、
前記１つまたはそれ以上のテスト対象血行力学的パラメータ値と前記１つまたはそれ以上のテスト対象生理学的パラメータとに少なくとも部分的に基づいてテスト対象入力ベクトルを算出することと、
前記テスト対象入力ベクトルと相関関係にある前記複数の基準対象入力ベクトルの１つを識別することと、
前記複数の心拍出量目標値から心拍出量目標値を識別することであって、前記識別された心拍出量目標値が前記複数の基準対象入力ベクトルの前記識別された１つに、前記非線形最適化アルゴリズムを介して関連付けられており、前記テスト対象心拍出量値が前記識別された心拍出量目標値と同等である、識別することと、
を、少なくとも部分的に備える、請求項１の方法。
【請求項３】
前記数学モデルは、複数の生体基準対象から予め収集されたモデルデータから、
前記複数の生体基準対象のそれぞれについて１つまたはそれ以上の基準対象生理学的パラメータ値を取得することと、
前記複数の生体基準対象のそれぞれについて１つまたはそれ以上の血行力学的パラメータを取得することと、
前記複数の基準対象入力ベクトルであって、そのそれぞれが、前記１つまたはそれ以上のテスト対象生理学的パラメータ値と前記１つまたはそれ以上の基準対象血行力学的パラメータ値とに少なくとも部分的に基づいている、前記複数の基準対象入力ベクトルを生成することと、
前記複数の生体基準対象のそれぞれについて、少なくとも１つの心拍出量測定値を収集することと、
前記複数の生体基準対象のそれぞれについての前記少なくとも１つの収集された心拍出量測定値に少なくとも基づいて前記複数の心拍出量目標値を計算することと、
前記複数の心拍出量目標値の前記対応する１つを、前記複数の生体基準対象のそれぞれについての前記複数のテスト対象入力ベクトルのそれぞれに、前記非線形的最適化アルゴリズムを介して関連付けることと、
によって生成される、請求項１の方法。
【請求項４】
前記複数の心拍出量目標値の前記対応する１つを前記複数のテスト対象入力ベクトルのそれぞれに前記関連付けることが、前記１つまたはそれ以上の基準対象生理学的パラメータ値と１つまたはそれ以上の基準対象血行力学的パラメータ値とを、前記複数の生体基準対象のそれぞれについての前記少なくとも１つの心拍出量測定値に、最小二乗最適化法で変換することを備える、請求項３の方法。
【請求項５】
前記非線形最適化アルゴリズムが、多次元非線形最適化を実行するよう構成された機械学習アルゴリズムを備える、請求項１の方法。
【請求項６】
心拍出量判定装置であって、
非侵襲的な測定装置を介して生体テスト対象についてテスト対象血行力学的パラメータデータを測定するよう構成された少なくとも１つの外部部品との信号通信のために構成された少なくとも１つのインターフェースと、
データ処理装置と、
前記データ処理装置とデータ通信しており、少なくとも１つのコンピュータプログラムが保存されているデータ記憶装置であって、当該少なくとも１つのコンピュータプログラムが、前記データ処理装置によって実行されると、当該心拍出量判定装置に、
少なくとも前記テスト対象血行力学的パラメータデータを前処理させ、
少なくとも前記前処理されたテスト対象血行力学的パラメータデータの、当該データ記憶装置上に保存された非線形最適化数学モデルへの入力を介して、前記生体テスト対象について心拍出量パラメータを計算させ、
前記生体テスト対象についての前記心拍出量パラメータの、当該心拍出量装置に関連づくられた表示装置上での表示を可能にさせる
ように構成された複数の命令を備える、データ記憶装置と、
を備える、心拍出量判定装置。
【請求項７】
前記テスト対象血行力学的パラメータデータが、前記生体テスト対象についての拡張期圧データ、収縮期圧データ、脈圧データ、平均動脈圧データ、心拍間隔データ、動脈の伸展性データの、１つまたはそれ以上からなり、
前記テスト対象血行力学的パラメータデータの前記前処理が、前記生体テスト対象についての収縮期データ内の最大勾配または収縮期の面積のデータの、１つまたはそれ以上を、前記テスト対象血行力学的パラメータデータに少なくとも部分的に基づいて判定することを備える、
請求項６の心拍出量判定装置。
【請求項８】
前記テスト対象血行力学的パラメータデータの前記前処理が、前記テスト対象血行力学的パラメータデータを、テスト対象の、前記生体テスト対象の身長、体重、年齢、性別の１つまたはそれ以上からなる生理学的パラメータデータと結びつけることを備える、請求項６の心拍出量判定装置。
【請求項９】
前記非線形最適化数学モデルが、少なくとも、多次元非線形最適化アルゴリズムを介して複数の目標心拍出量値と相関され、複数の生体基準対象のそれぞれから予め取得された、予め取得された基準対象血行力学的パラメータデータを備える、請求項６の心拍出量判定装置。
【請求項１０】
前記複数の目標心拍出量値のそれぞれが、前記複数の生体基準対象のそれぞれから予め取得された、少なくとも２つの心拍出量測定値から導出され、前記少なくとも２つの心拍出量測定値の第１は、第１の心拍出量測定様相を介して取得され、前記少なくとも２つの心拍出量測定値の第２は、前記第１の心拍出量測定様相と異なる第２の心拍出量測定様相を介して取得される、請求項９の心拍出量判定装置。
【請求項１１】
前記複数の目標心拍出量値のそれぞれが、統計ノイズを減らすよう構成されたオーバーサンプリングを介して導出される、請求項９の心拍出量判定装置。
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
特定画面において、遊技機の遊技情報と共に所定画像を表示可能な表示手段を備え、
前記特定画面には、
第１機種に対応する遊技機である第１遊技機の遊技情報と共に前記所定画像を表示可能な第１特定画面と、
第２機種に対応する遊技機である第２遊技機の遊技情報と共に前記所定画像を表示可能な第２特定画面と、
が含まれ、
前記所定画像には、
前記第１機種に対応し、当該第１機種に関するキャラクタ画像が含まれる第１画像と、
前記第２機種に対応し、当該第２機種に関するキャラクタ画像が含まれる第２画像と、
複数種類の機種に共通して対応可能な第３画像と、
が含まれ、
前記表示手段は、
管理者により前記第１機種に対して前記第１画像に関する設定が予め行われた場合、前記第１特定画面において、前記第１遊技機の遊技情報と共に前記第１画像を表示する第１表示を実行可能であり、
管理者により前記第２機種に対して前記第２画像に関する設定が予め行われた場合、前記第２特定画面において、前記第２遊技機の遊技情報と共に前記第２画像を表示する第２表示を実行可能であり、
管理者により前記第１機種に対して前記第１画像に関する設定が予め行われない場合、前記第１特定画面において、前記第１遊技機の遊技情報と共に前記第３画像を表示する第３表示を実行可能であり、
管理者により前記第２機種に対して前記第２画像に関する設定が予め行われない場合、前記第２特定画面において、前記第２遊技機の遊技情報と共に前記第３画像を表示する第４表示を実行可能である
ことを特徴とする遊技用装置。
【請求項２】
操作者による所定の操作を受付け可能な操作手段を備え、
前記表示手段は、
前記第１特定画面において前記操作手段が操作者による所定の操作を受付けた場合、前記第２特定画面に切り替えることが可能である
ことを特徴とする請求項１に記載の遊技用装置。
【請求項３】
前記表示手段は、
前記特定画面において、遊技機の遊技情報を前記所定画像と重ねて表示可能である
ことを特徴とする請求項１又は２に記載の遊技用装置。
【請求項４】
前記表示手段は、
タッチパネルから構成されている
ことを特徴とする請求項１〜３の何れか一項に記載の遊技用装置。
【請求項５】
前記遊技情報は、
複数の営業日においての差遊技媒体数を示す情報を含む
ことを特徴とする請求項１〜４の何れか一項に記載の遊技用装置。
【請求項６】
前記遊技情報は、
稼働状況に関する情報を含む
ことを特徴とする請求項１〜５の何れか一項に記載の遊技用装置。
【請求項７】
前記第２特定画面は、
複数の前記第２遊技機の遊技情報を表示する画面である
ことを特徴とする請求項１〜６の何れか一項に記載の遊技用装置。
【請求項８】
遊技用装置を構成するコンピュータを、
特定画面において、遊技機の遊技情報と共に所定画像を表示可能な表示手段として機能させ、
前記特定画面には、
第１機種に対応する遊技機である第１遊技機の遊技情報と共に前記所定画像を表示可能な第１特定画面と、
第２機種に対応する遊技機である第２遊技機の遊技情報と共に前記所定画像を表示可能な第２特定画面と、
が含まれ、
前記所定画像には、
前記第１機種に対応し、当該第１機種に関するキャラクタ画像が含まれる第１画像と、
前記第２機種に対応し、当該第２機種に関するキャラクタ画像が含まれる第２画像と、
複数種類の機種に共通して対応可能な第３画像と、
が含まれ、
前記表示手段に、
管理者により前記第１機種に対して前記第１画像に関する設定が予め行われた場合、前記第１特定画面において、前記第１遊技機の遊技情報と共に前記第１画像を表示する第１表示を実行させ、
管理者により前記第２機種に対して前記第２画像に関する設定が予め行われた場合、前記第２特定画面において、前記第２遊技機の遊技情報と共に前記第２画像を表示する第２表示を実行させ、
管理者により前記第１機種に対して前記第１画像に関する設定が予め行われない場合、前記第１特定画面において、前記第１遊技機の遊技情報と共に前記第３画像を表示する第３表示を実行させ、
管理者により前記第２機種に対して前記第２画像に関する設定が予め行われない場合、前記第２特定画面において、前記第２遊技機の遊技情報と共に前記第３画像を表示する第４表示を実行させる
ことを特徴とする遊技用装置用プログラム。
【手続補正２】
【補正対象書類名】明細書
【補正対象項目名】発明の名称
【補正方法】変更
【補正の内容】
【発明の名称】遊技用装置及び遊技用装置用プログラム
【手続補正３】
【補正対象書類名】明細書
【補正対象項目名】０００５
【補正方法】変更
【補正の内容】
【０００５】
この目的を達成するため、本発明の遊技用装置は、特定画面において、遊技機の遊技情報と共に所定画像を表示可能な表示手段を備え、前記特定画面には、第１機種に対応する遊技機である第１遊技機の遊技情報と共に前記所定画像を表示可能な第１特定画面と、第２機種に対応する遊技機である第２遊技機の遊技情報と共に前記所定画像を表示可能な第２特定画面と、が含まれ、前記所定画像には、前記第１機種に対応し、当該第１機種に関するキャラクタ画像が含まれる第１画像と、前記第２機種に対応し、当該第２機種に関するキャラクタ画像が含まれる第２画像と、複数種類の機種に共通して対応可能な第３画像と、が含まれ、前記表示手段は、管理者により前記第１機種に対して前記第１画像に関する設定が予め行われた場合、前記第１特定画面において、前記第１遊技機の遊技情報と共に前記第１画像を表示する第１表示を実行可能であり、管理者により前記第２機種に対して前記第２画像に関する設定が予め行われた場合、前記第２特定画面において、前記第２遊技機の遊技情報と共に前記第２画像を表示する第２表示を実行可能であり、管理者により前記第１機種に対して前記第１画像に関する設定が予め行われない場合、前記第１特定画面において、前記第１遊技機の遊技情報と共に前記第３画像を表示する第３表示を実行可能であり、管理者により前記第２機種に対して前記第２画像に関する設定が予め行われない場合、前記第２特定画面において、前記第２遊技機の遊技情報と共に前記第３画像を表示する第４表示を実行可能である構成としてある。